(57)【要約】      （修正有）【課題】ユーザが必要とする情報が投稿された投稿文のみを適切に検索することを可能にした投稿文検索システム、投稿文検索装置、投稿文検索方法及びコンピュータプログラムを提供する。【解決手段】投稿文検索サーバ３が文字列からなる交通情報を交通情報センタ５から定期的に取得するとともに、取得した交通情報によって対象となる道路の区間に含まれる地点の名称の文字列及び位置情報を地点情報２５に基づいて特定して交通情報に補完する。一方で、通信端末７において案内経路が設定された場合に、投稿文の閲覧要求を投稿文検索サーバ３へと送信し、閲覧要求を受信した投稿文検索サーバ３は、補完された交通情報を読み出し、補完された交通情報に含まれる地点の名称の文字列から検索ワードを設定し、コンピュータネットワーク上に投稿された投稿文の内から、設定された検索ワードを含む投稿文を検索し、検索された投稿文を提供するように構成する。【選択図】図２
2014119870.tif 000002
【特許請求の範囲】
【請求項１】
文字列からなる交通情報を取得する交通情報取得手段と、
地点毎に名称と位置情報とを対応づけた地点情報を取得する地点情報取得手段と、
前記交通情報の文字列と前記地点情報とに基づいて、前記交通情報によって対象となる道路の区間に含まれる地点の名称を文字列によって取得する地点名称取得手段と、
前記地点名称取得手段により取得された地点の名称の文字列から検索ワードを設定する検索条件設定手段と、
コンピュータネットワーク上に投稿された投稿文の内から、前記検索条件設定手段により設定された前記検索ワードに該当する投稿文を抽出する検索手段と、を有することを特徴とする投稿文検索システム。
【請求項２】
前記交通情報は、道路の区間に対する情報である場合に、該区間の始点に対応する地点の名称の文字列である始点文字列と、該区間の終点に対応する地点の名称の文字列である終点文字列を含み、
前記始点文字列と前記地点情報から前記区間の始点の位置情報を特定する始点位置特定手段と、
前記終点文字列と前記地点情報から前記区間の終点の位置情報を特定する終点位置特定手段と、を有し、
前記地点名称取得手段は、前記区間の始点の位置情報と前記区間の終点の位置情報と前記地点情報から、前記交通情報によって対象となる道路の区間に含まれる地点の名称を取得することを特徴とする請求項１に記載の投稿文検索システム。
【請求項３】
ユーザの走行予定経路を取得する走行予定経路取得手段を有し、
前記検索条件設定手段は、前記地点名称取得手段により取得された地点の名称の内、前記走行予定経路に含まれる地点の名称を、前記検索ワードに設定することを特徴とする請求項１又は請求項２に記載の投稿文検索システム。
【請求項４】
前記走行予定経路は数値からなる位置情報として取得され、
前記交通情報の文字列と前記地点情報とに基づいて、前記交通情報によって対象となる道路の区間に含まれる地点の位置情報を取得する地点位置取得手段を有し、
前記検索条件設定手段は、前記地点名称取得手段により取得された地点の名称の内、前記走行予定経路と位置情報が一致する地点の名称を、前記検索ワードに設定することを特徴とする請求項３に記載の投稿文検索システム。
【請求項５】
文字列からなる交通情報を取得する交通情報取得手段と、
地点毎に名称と位置情報とを対応づけた地点情報を取得する地点情報取得手段と、
前記交通情報の文字列と前記地点情報とに基づいて、前記交通情報によって対象となる道路の区間に含まれる地点の名称を文字列によって取得する地点名称取得手段と、
前記地点名称取得手段により取得された地点の名称の文字列から検索ワードを設定する検索条件設定手段と、
コンピュータネットワーク上に投稿された投稿文の内から、前記検索条件設定手段により設定された前記検索ワードに該当する投稿文を抽出する検索手段と、を有することを特徴とする投稿文検索装置。
【請求項６】
文字列からなる交通情報を取得する交通情報取得ステップと、
地点毎に名称と位置情報とを対応づけた地点情報を取得する地点情報取得ステップと、
前記交通情報の文字列と前記地点情報とに基づいて、前記交通情報によって対象となる道路の区間に含まれる地点の名称を文字列によって取得する地点名称取得ステップと、
前記地点名称取得ステップにより取得された地点の名称の文字列から検索ワードを設定する検索条件設定ステップと、
コンピュータネットワーク上に投稿された投稿文の内から、前記検索条件設定ステップにより設定された前記検索ワードに該当する投稿文を抽出する検索ステップと、を有することを特徴とする投稿文検索方法。
【請求項７】
コンピュータに、
文字列からなる交通情報を取得する交通情報取得機能と、
地点毎に名称と位置情報とを対応づけた地点情報を取得する地点情報取得機能と、
前記交通情報の文字列と前記地点情報とに基づいて、前記交通情報によって対象となる道路の区間に含まれる地点の名称を文字列によって取得する地点名称取得機能と、
前記地点名称取得機能により取得された地点の名称の文字列から検索ワードを設定する検索条件設定機能と、
コンピュータネットワーク上に投稿された投稿文の内から、前記検索条件設定機能により設定された前記検索ワードに該当する投稿文を抽出する検索機能と、
を実行させることを特徴とするコンピュータプログラム。
【発明の詳細な説明】
【技術分野】
【０００１】
本発明は、コンピュータネットワーク上に投稿された投稿文を検索する投稿文検索システム、投稿文検索装置、投稿文検索方法及びコンピュータプログラムに関する。
【背景技術】
【０００２】
近年、端末を介してコンピュータネットワーク上にユーザが投稿文を投稿するとともに、他のユーザから投稿された投稿文を閲覧することが可能なシステムが提供されている。例えば、ブログ、ＳＮＳ(Social Network Service)、Ｔｗｉｔｔｅｒ（登録商標）、チャット等（以下、ＳＮＳ等という）がある。また、これらの投稿文の中には、渋滞情報や通行止め情報等の交通情報に関する情報を投稿した投稿文も多数含まれている。
【０００３】
ここで、ＳＮＳ等では、最新の情報をいち早く取得できるメリットがあるが、情報量が膨大であるので、閲覧するユーザにとって必要な情報のみを抽出して提供することが難しかった。そこで、多数の情報の中からユーザにとって必要な情報を検索する手段として、交通情報を用いて検索ワードを設定し、検索を行う方法がある。ここで、交通情報は特開２００５−１８１２７２号公報に示すように、例えば文字列から構成される情報であり、渋滞している区間や車線規制が行われている区間等を示す文字列からなる。
【先行技術文献】
【特許文献】
【０００４】
【特許文献１】特開２００５−１８１２７２号公報（第１０−１１頁、図３）
【発明の概要】
【発明が解決しようとする課題】
【０００５】
しかしながら、文字列からなる交通情報では、道路の区間を対象とする場合に、道路名称や区間の始点を特定する文字列や終点を特定する文字列は含まれているが、始点と終点の間にある地点を特定する文字列については含まれていない。従って、交通情報から検索ワードを作成し、ユーザに必要な情報として交通情報に関連する情報が投稿された投稿文を抽出しようとしても、交通情報の対象となる区間に含まれる地点に関する情報が投稿された投稿文が抽出できない場合があった。
【０００６】
本発明は前記従来における問題点を解消するためになされたものであり、文字列からなる交通情報を用いることによって、コンピュータネットワーク上に投稿された投稿文の内から、ユーザが必要とする情報が投稿された投稿文のみを適切に抽出することを可能にした投稿文検索システム、投稿文検索装置、投稿文検索方法及びコンピュータプログラムを提供することを目的とする。
【課題を解決するための手段】
【０００７】
前記目的を達成するため本願の請求項１に係る投稿文検索システム（１）は、文字列からなる交通情報を取得する交通情報取得手段（１１）と、地点毎に名称と位置情報とを対応づけた地点情報（２５）を取得する地点情報取得手段（１１）と、前記交通情報の文字列と前記地点情報とに基づいて、前記交通情報によって対象となる道路の区間に含まれる地点の名称を文字列によって取得する地点名称取得手段（１１）と、前記地点名称取得手段（により取得された地点の名称の文字列から検索ワードを設定する検索条件設定手段（１１）と、コンピュータネットワーク上に投稿された投稿文の内から、前記検索条件設定手段により設定された前記検索ワードに該当する投稿文を抽出する検索手段（１１）と、を有することを特徴とする。
【０００８】
また、請求項２に係る投稿文検索システム（１）は、請求項１に記載の投稿文検索システムであって、前記交通情報は、道路の区間に対する情報である場合に、該区間の始点に対応する地点の名称の文字列である始点文字列と、該区間の終点に対応する地点の名称の文字列である終点文字列を含み、前記始点文字列と前記地点情報から前記区間の始点の位置情報を特定する始点位置特定手段（１１）と、前記終点文字列と前記地点情報から前記区間の終点の位置情報を特定する終点位置特定手段（１１）と、を有し、前記地点名称取得手段（１１）は、前記区間の始点の位置情報と前記区間の終点の位置情報と前記地点情報から、前記交通情報によって対象となる道路の区間に含まれる地点の名称を取得することを特徴とする。
【０００９】
また、請求項３に係る投稿文検索システム（１）は、請求項１又は請求項２に記載の投稿文検索システムであって、ユーザの走行予定経路を取得する走行予定経路取得手段（１１）を有し、前記検索条件設定手段（１１）は、前記地点名称取得手段により取得された地点の名称の内、前記走行予定経路に含まれる地点の名称を、前記検索ワードに設定することを特徴とする。
【００１０】
また、請求項４に係る投稿文検索システム（１）は、請求項３に記載の投稿文検索システムであって、前記走行予定経路は数値からなる位置情報として取得され、前記交通情報の文字列と前記地点情報とに基づいて、前記交通情報によって対象となる道路の区間に含まれる地点の位置情報を取得する地点位置取得手段（１１）を有し、前記検索条件設定手段（１１）は、前記地点名称取得手段により取得された地点の名称の内、前記走行予定経路と位置情報が一致する地点の名称を、前記検索ワードに設定することを特徴とする。
尚、「位置情報が一致」とは、完全に一致する場合に加えて差分が所定の許容範囲内にある場合も含む。
【００１１】
また、請求項５に係る投稿文検索装置（２）は、文字列からなる交通情報を取得する交通情報取得手段（１１）と、地点毎に名称と位置情報とを対応づけた地点情報（２５）を取得する地点情報取得手段（１１）と、前記交通情報の文字列と前記地点情報とに基づいて、前記交通情報によって対象となる道路の区間に含まれる地点の名称を文字列によって取得する地点名称取得手段（１１）と、前記地点名称取得手段（により取得された地点の名称の文字列から検索ワードを設定する検索条件設定手段（１１）と、コンピュータネットワーク上に投稿された投稿文の内から、前記検索条件設定手段により設定された前記検索ワードに該当する投稿文を抽出する検索手段（１１）と、を有することを特徴とする。
【００１２】
また、請求項６に係る投稿文検索方法は、文字列からなる交通情報を取得する交通情報取得ステップと、地点毎に名称と位置情報とを対応づけた地点情報（２５）を取得する地点情報取得ステップと、前記交通情報の文字列と前記地点情報とに基づいて、前記交通情報によって対象となる道路の区間に含まれる地点の名称を文字列によって取得する地点名称取得ステップと、前記地点名称取得ステップにより取得された地点の名称の文字列から検索ワードを設定する検索条件設定ステップと、コンピュータネットワーク上に投稿された投稿文の内から、前記検索条件設定ステップにより設定された前記検索ワードに該当する投稿文を抽出する検索ステップと、を有することを特徴とする。
【００１３】
更に、請求項７に係るコンピュータプログラムは、コンピュータに、文字列からなる交通情報を取得する交通情報取得機能と、地点毎に名称と位置情報とを対応づけた地点情報（２５）を取得する地点情報取得機能と、前記交通情報の文字列と前記地点情報とに基づいて、前記交通情報によって対象となる道路の区間に含まれる地点の名称を文字列によって取得する地点名称取得機能と、前記地点名称取得機能により取得された地点の名称の文字列から検索ワードを設定する検索条件設定機能と、コンピュータネットワーク上に投稿された投稿文の内から、前記検索条件設定機能により設定された前記検索ワードに該当する投稿文を抽出する検索機能と、を実行させることを特徴とする。
【発明の効果】
【００１４】
前記構成を有する請求項１に係る投稿文検索システムでは、文字列からなる交通情報と地点情報に基づいて、交通情報によって対象となる道路の区間に含まれる地点の名称を文字列によって取得するとともに、取得された地点の名称の文字列を検索ワードに設定し、コンピュータネットワーク上に投稿された投稿文の内から、設定された検索ワードを含む投稿文を検索するので、コンピュータネットワーク上に投稿された投稿文の内から、ユーザが必要とする情報が投稿された投稿文のみを適切に抽出することが可能となる。その結果、配信される交通情報のみからでは特定することができない現時点でのより詳しい交通状況を、投稿文を介して把握することが可能となる。また、ユーザに検索条件を入力させる作業を行わせる必要がないので、操作性についても向上させることが可能となる。
【００１５】
また、請求項２に係る投稿文検索システムでは、交通情報が道路の区間に対する情報である場合に、区間の始点の位置情報と区間の終点の位置情報と地点情報から、交通情報によって対象となる道路の区間に含まれる地点の名称を取得するので、区間の始点と終点しか特定していない交通情報からでも該始点と終点の間にある他の地点の名称の文字列について特定することが可能となる。従って、始点と終点の間にある他の地点の名称の文字列についても検索ワードに設定することができ、ユーザが必要とする情報が投稿された投稿文を適切に抽出することが可能となる。
【００１６】
また、請求項３に係る投稿文検索システムでは、交通情報によって対象となる道路の区間に含まれる地点の名称の内、走行予定経路に含まれる地点の名称を、検索ワードに設定するので、ユーザの走行予定経路に関連する情報（例えば、走行予定経路上の渋滞、事故等）を、投稿文を介して、より速いタイミングで把握することが可能となる。
【００１７】
また、請求項４に係る投稿文検索システムでは、走行予定経路は数値からなる位置情報として取得され、通情報によって対象となる道路の区間に含まれる地点の名称の内、走行予定経路と位置情報が一致する地点の名称を、検索ワードに設定するので、位置情報を比較することによって走行予定経路と交通情報の対象となる区間が重複する範囲内に位置する全ての地点を正確に特定することが可能となる。
【００１８】
また、請求項５に係る投稿文検索装置では、文字列からなる交通情報と地点情報に基づいて、交通情報によって対象となる道路の区間に含まれる地点の名称を文字列によって取得するとともに、取得された地点の名称の文字列を検索ワードに設定し、コンピュータネットワーク上に投稿された投稿文の内から、設定された検索ワードを含む投稿文を検索するので、コンピュータネットワーク上に投稿された投稿文の内から、ユーザが必要とする情報が投稿された投稿文のみを適切に抽出することが可能となる。その結果、配信される交通情報のみからでは特定することができない現時点でのより詳しい交通状況を、投稿文を介して把握することが可能となる。また、ユーザに検索条件を入力させる作業を行わせる必要がないので、操作性についても向上させることが可能となる。
【００１９】
また、請求項６に係る投稿文検索方法では、文字列からなる交通情報と地点情報に基づいて、交通情報によって対象となる道路の区間に含まれる地点の名称を文字列によって取得するとともに、取得された地点の名称の文字列を検索ワードに設定し、コンピュータネットワーク上に投稿された投稿文の内から、設定された検索ワードを含む投稿文を検索するので、コンピュータネットワーク上に投稿された投稿文の内から、ユーザが必要とする情報が投稿された投稿文のみを適切に抽出することが可能となる。その結果、配信される交通情報のみからでは特定することができない現時点でのより詳しい交通状況を、投稿文を介して把握することが可能となる。また、ユーザに検索条件を入力させる作業を行わせる必要がないので、操作性についても向上させることが可能となる。
【００２０】
更に、請求項７に係るコンピュータプログラムでは、文字列からなる交通情報と地点情報に基づいて、交通情報によって対象となる道路の区間に含まれる地点の名称を文字列によって取得させるとともに、取得された地点の名称の文字列を検索ワードに設定させ、コンピュータネットワーク上に投稿された投稿文の内から、設定された検索ワードを含む投稿文を検索させるので、コンピュータネットワーク上に投稿された投稿文の内から、ユーザが必要とする情報が投稿された投稿文のみを適切に抽出することが可能となる。その結果、配信される交通情報のみからでは特定することができない現時点でのより詳しい交通状況を、投稿文を介して把握することが可能となる。また、ユーザに検索条件を入力させる作業を行わせる必要がないので、操作性についても向上させることが可能となる。
【図面の簡単な説明】
【００２１】
【図１】本実施形態に係る投稿文検索システムを示した概略構成図である。
【図２】本実施形態に係る投稿文検索システムの構成を示したブロック図である。
【図３】投稿文情報管理センタの投稿文情報ＤＢに記憶される投稿文情報の一例を示した図である。
【図４】交通情報センタの交通情報ＤＢに記憶される交通情報の一例を示した図である。
【図５】地図情報に含まれる地点情報の一例を示した図である。
【図６】本実施形態に係る通信端末の制御系を模式的に示すブロック図である。
【図７】本実施形態に係る交通情報補完処理プログラムのフローチャートである。
【図８】補完交通情報の一例を示した図である。
【図９】補完交通情報の一例を示した図である。
【図１０】本実施形態に係る投稿文検索処理プログラムのフローチャートである。
【図１１】ディスプレイに表示される投稿文案内画面を示した図である。
【図１２】本実施形態に係る検索ワード設定処理のサブ処理プログラムのフローチャートである。
【図１３】検索ワードの設定処理の具体例を示した図である。
【図１４】検索ワードの設定処理の具体例を示した図である。
【図１５】検索ワードの設定処理の具体例を示した図である。
【発明を実施するための形態】
【００２２】
以下、本発明に係る投稿文検索システムについて具体化した一実施形態に基づき図面を参照しつつ詳細に説明する。先ず、本実施形態に係る投稿文検索システム１の概略構成について図１及び図２を用いて説明する。図１は本実施形態に係る投稿文検索システム１を示した概略構成図である。図２は本実施形態に係る投稿文検索システム１の構成を示したブロック図である。
【００２３】
図１に示すように、本実施形態に係る投稿文検索システム１は、投稿文管理センタ２が有する投稿文検索サーバ（投稿文検索装置）３と、同じく投稿文管理センタ２が有する投稿文情報管理サーバ４と、交通情報センタ５と、ユーザ６が所有する通信端末７とから基本的に構成されている。尚、通信端末７としては、車両に搭載された車載器としてのナビゲーション装置、携帯電話機、ＰＤＡ、タブレット型端末、スマートフォン等がある。また、ユーザ６は車両以外の移動手段（例えば電車、自転車、徒歩等）による移動中であっても良いし、移動していない状態であっても良い。また、投稿文管理センタ２と交通情報センタ５と通信端末７とは通信ネットワーク網８を介して互いに電子データを送受信可能に構成されている。
【００２４】
ここで、投稿文検索サーバ３は、通信端末７のユーザ６がコンピュータネットワーク上に投稿された投稿文の閲覧を要求した場合に、ユーザ６の走行予定経路や交通情報センタ５から取得した交通情報に基づいて検索条件を設定し、投稿文情報管理サーバ４に記憶された投稿文の内から、情報を要求したユーザ６に関連する内容を投稿した投稿文を抽出するとともに、抽出された投稿文に関する情報を通信端末７に配信することによって投稿文の内容をユーザ６に閲覧可能にするサーバ装置である。尚、投稿文検索サーバ３の詳細については後述する。
【００２５】
また、投稿文情報管理サーバ４は、ブログ、ＳＮＳ(Social Network Service)、Ｔｗｉｔｔｅｒ（登録商標）、チャット等（以下、ＳＮＳ等という）を管理し、ＳＮＳ等においてコンピュータネットワーク上に投稿された投稿文の保管及び提供を行うサーバ装置である。尚、ユーザによる投稿文の投稿は、通信端末７以外に、コンピュータネットワークに接続可能なＰＣやその他の通信装置からも行うことが可能である。
【００２６】
そして、投稿文情報管理サーバ４は、記憶媒体として投稿文情報ＤＢ９を有し、投稿された投稿文は投稿文情報ＤＢ９に順次格納される。また、投稿文情報ＤＢ９には、投稿文の文章（文字列）とともに、該投稿文が投稿された投稿時刻、該投稿文が投稿された際の投稿者の位置（以下、投稿位置という）、投稿者のＩＤ等についても記憶される。ここで、図３は、投稿文情報管理サーバ４において収集及び提供される投稿文の一例を示した図である。図３に示すように投稿文としては、投稿時刻、投稿位置、ユーザＩＤ、投稿文の文章等が含まれる。尚、投稿文情報管理サーバ４には、全国のユーザから投稿された投稿文に関する情報が累積的に投稿文情報ＤＢ９に格納され、格納されたデータ量が所定量以上となると過去の投稿文に関する情報から順に削除される。また、投稿文情報管理サーバ４は投稿文管理センタ２と異なるセンタに設置しても良い。
【００２７】
また、交通情報センタ５は、日本全国の各道路における現在の交通情報の収集及び提供を行うセンタであり、例えばＶＩＣＳ（登録商標）センタが該当する。そして、交通情報センタ５は、記憶媒体として交通情報ＤＢ１０を有し、収集された交通情報は交通情報ＤＢ１０に格納される。尚、具体的に収集される交通情報としては、道路の渋滞度を示した渋滞情報、道路の通行止め、車線規制、チェーン規制等を示した規制情報、事故に関する情報を示した事故情報、故障車に関する故障車情報等が有る。
【００２８】
また、交通情報センタ５から交通情報を提供する際には、同一の情報を文章や画像等の複数の情報形態によってそれぞれ提供する。例えば、ＶＩＣＳ情報ではレベル１〜３の３種類の情報形態によって交通情報が提供され、レベル３の情報は渋滞区間や事故地点等の交通情報を地図上で特定する地図表示情報であり、レベル２の情報はユーザが現在走行する道路の道路形状や渋滞区間や主要地点までの所要時間等を簡易な図形で特定する簡易図形情報であり、レベル１の情報は渋滞区間や事故地点等の交通情報を所定数（例えば３０字）以内の文字列で特定する文字列情報である。その結果、ユーザは提供された地図画像、図形、文字列等を参照することによって、周辺の交通状況を把握することが可能となる。
【００２９】
ここで、図４は、交通情報センタ５から提供される交通情報として、特にレベル１の文字列情報の一例を示した図である。図４に示すようにレベル１の交通情報は、文字列によって構成され、同一名称の道路（例えば東名高速道路、新東名高速道路、中央自動車道等）の区間又は道路上の地点に対する交通状況（例えば渋滞、車線規制、通行止め）を特定する文字列からなる。具体的には、“道路名称（道路種別も含む）”、“進行方向（上り又は下り）”、“対象となる道路の区間（区間は始点に対応する地点（ＩＣ、ＳＡ、トンネル、バス停等）の名称と終点に対応する地点の名称により特定）又は道路上の地点の名称”、“対象となる区間又は地点で発生している事象”が含まれる。尚、交通情報センタ５における交通情報の収集は定期的に行われ、収集された最新の交通情報に基づいて、交通情報ＤＢ１０に格納される交通情報は適宜更新される。
【００３０】
一方、通信端末７は、ＧＰＳ等の通信端末７の現在位置（即ちユーザ６の現在位置）を特定する為の機能やユーザ６の現在位置周辺の地図画像を表示する機能を備えた情報通信端末が用いられ、例えばナビゲーション装置、携帯電話機、ＰＤＡ、タブレット型端末、スマートフォン等が該当する。
【００３１】
また、通信端末７は、後述の送受信回路部（ＲＦ）３３を介して通信ネットワーク網８に接続され、投稿文管理センタ２と双方向通信可能に構成されている。そして、投稿文管理センタ２から投稿文に関する情報を受信した場合には、後述のように受信した投稿文の文章内容を通信端末７のディスプレイに表示し、投稿文の内容をユーザに閲覧可能とする（図１１参照）。尚、通信端末７の詳細については後述する。
【００３２】
また、通信ネットワーク網８は全国各地に配置された多数の基地局と、各基地局を管理及び制御する通信会社とを含み、基地局及び通信会社を有線（光ファイバー、ＩＳＤＮ等）又は無線で互いに接続することにより構成されている。
ここで、基地局は通信端末７との通信をするトランシーバー（送受信機）とアンテナを有する。そして、基地局は通信会社の間で無線通信を行う一方、通信ネットワーク網８の末端となり、基地局の電波が届く範囲（セル）にある通信端末７の通信を投稿文管理センタ２との間で中継する役割を持つ。
【００３３】
続いて、投稿文検索システム１を構成する投稿文検索サーバ３の構成について図２を用いてより詳細に説明する。投稿文検索サーバ３は、図２に示すように情報管理ＥＣＵ１１と、情報管理ＥＣＵ１１に接続された情報記録手段としての地図情報ＤＢ１２と、補完交通情報ＤＢ１３と、センタ通信装置１４とから基本的に構成されている。
【００３４】
情報管理ＥＣＵ１１は、図２に示すように投稿文検索サーバ３における各種制御を行う電子制御ユニットである。そして、演算装置及び制御装置としてのＣＰＵ２１、並びにＣＰＵ２１が各種の演算処理を行うに当たってワーキングメモリとして使用されるＲＡＭ２２、各種制御プログラムの他、後述の交通情報補完処理プログラム（図７）や投稿文検索処理プログラム（図１０）等が記憶されたＲＯＭ２３等の内部記憶装置を備えている。尚、情報管理ＥＣＵ１１は、通信端末７のＥＣＵとともに処理アルゴリズムとしての各種手段を構成する。例えば、交通情報取得手段は、文字列からなる交通情報を取得する。地点情報取得手段は、地点毎に名称と位置情報とを対応づけた地点情報を取得する。地点名称取得手段は、交通情報の文字列と地点情報とに基づいて、交通情報によって対象となる道路の区間に含まれる地点の名称を文字列によって取得する。検索条件設定手段は、地点名称取得手段により取得された地点の名称の文字列から検索ワードを設定する。検索手段は、コンピュータネットワーク上に投稿された投稿文の内から、検索条件設定手段により設定された検索ワードに該当する投稿文を抽出する。始点位置特定手段は、始点文字列と地点情報から交通情報の対象となる道路区間の始点の位置情報を特定する。終点位置特定手段は、終点文字列と地点情報から交通情報の対象となる道路区間の終点の位置情報を特定する。走行予定経路取得手段は、ユーザの走行予定経路を取得する。地点位置取得手段は、地点情報から地点名称取得手段によって名称が取得された地点の位置情報を取得する。
【００３５】
また、地図情報ＤＢ１２は、地図情報が記憶される記憶手段である。ここで、地図情報ＤＢ１２に格納されている地図情報は、道路網を始めとして経路探索及び地図表示に必要な各種情報が記録されており、例えば、道路（リンク）に関するリンクデータ、ノード点に関するノードデータ、施設等の地点に関する地点情報２５、各交差点に関する交差点データ、経路を探索するための探索データ、地点を検索するための検索データ、地図を表示するための地図表示データ等から構成されている。尚、地図情報ＤＢ１２は、定期的に新たな地図情報へと更新される。
【００３６】
ここで、地点情報２５は、コンビニやガソリンスタンド等の一般的な施設の他、上記交通情報において道路の区間や道路上の地点を特定する為に用いられる地点（例えば、ＩＣ、ＳＡ、ＰＡ、ＪＣＴ、トンネル、バス停、料金所、橋等）に関する情報が記憶される。地点情報２５は、地点毎に地点名称と位置情報（緯度、経度）とを対応づけた情報となる。
【００３７】
ここで、図５は地点情報２５の一例を示した図である。図５では特に東名高速道路上に位置する地点に関する地点情報を示す。図５に示すように地点情報２５は、地点の位置する道路の道路名称と、該道路の進行方向と、地点の種別（ジャンル）と、地点名称と、検索用文字列と、地点の位置を特定する位置情報（緯度経度）が含まれる。ここで、検索用文字列は、後述のように投稿文情報管理サーバ４に記憶された投稿文の内、ユーザ６に関連する投稿文を検索する為の検索ワードとなる文字列である。具体的には、地点名称からＩＣやＳＡ等の地点の固有名称以外の部分を除くとともに、ＢＳ等の省略名称を省略しない名称へと修正した文字列からなる。そして、情報管理ＥＣＵ１１は、後述のように交通情報によって対象となる道路の区間に含まれる地点の地点名称の文字列や位置情報を地点情報２５により特定し、更に地点名称や位置情報が特定された地点の内、ユーザの走行予定経路に含まれると判定された地点の検索用文字列を検索ワードに設定する。
【００３８】
尚、地図情報ＤＢ１２は投稿文検索サーバ３が有するのではなく、外部のサーバが有する構成とし、地点情報２５を外部のサーバから通信により投稿文検索サーバ３が取得する構成としても良い。
【００３９】
また、補完交通情報ＤＢ１３は、交通情報センタ５から取得した交通情報に対して情報を補完した補完交通情報が記憶される記憶手段である。尚、補完される情報は、交通情報センタ５から取得した交通情報に欠落している地点に関する情報であり、具体的には、交通情報が道路の地点に対する情報（例えば事故情報）である場合には、該地点の地点名称の文字列（検索用文字列も含む）と位置情報（緯度経度）が地点情報２５に基づいて補完される。一方、交通情報が道路の区間に対する情報（例えば渋滞情報）である場合には、該区間の始点と終点の地点名称の文字列と位置情報、並びに該区間に含まれる（即ち始点と終点の間にある）他の地点の地点名称の文字列と位置情報が地点情報２５に基づいて補完される。
【００４０】
また、センタ通信装置１４は、交通情報センタ５や通信端末７と通信ネットワーク網８を介して通信を行う為の通信装置である。本実施形態では、センタ通信装置１４を介して交通情報や投稿文に関する情報を交通情報センタ５や通信端末７との間で送受信する。
【００４１】
次に、ユーザ６が所有する通信端末７の概略構成について図６を用いて説明する。図６は本実施形態に係る通信端末７の制御系を模式的に示すブロック図である。
【００４２】
図６に示すように通信端末７はデータバスＢＵＳに、ＣＰＵ３１と、通信端末７を所持するユーザ６に関するユーザ情報（ユーザＩＤ、氏名等）や地図情報等が記憶されたメモリ３２と、通信ネットワーク網８の基地局との間で信号の送受信を行う送受信回路部（ＲＦ）３３と、送受信回路部３３において受信したＲＦ（Radio Frequency）信号をベースバンド信号に変換するとともにベースバンド信号をＲＦ信号に変換するベースバンド処理部３４と、マイクロホン３５及びスピーカ３６等とのインターフェイスである入出力部３７と、液晶表示パネル等で構成されたディスプレイ３８と、タッチパネルやキーボード等から構成される入力操作部３９と、ＧＰＳ４０とが接続されることにより構成されている。
【００４３】
ここで、通信端末７に内蔵されるＣＰＵ３１は、メモリ３２に格納されている動作プログラムに従って種々の動作を実行する通信端末７の制御手段であり、メモリ３２とともに通信端末ＥＣＵ４１を構成する。また、通信端末ＥＣＵ４１の各種処理内容は必要に応じてディスプレイ３８に表示される。
【００４４】
また、メモリ３２は通信端末７を所持するユーザ６に関するユーザ情報（ユーザＩＤ、氏名等）や地図情報の他、インストールされたナビゲーションアプリ等のアプリケーションプログラム、ユーザ６の現在位置履歴、ナビゲーションアプリにおいて設定された案内経路（ユーザ６の走行予定経路）、後述の投稿文検索処理プログラム（図１０）等が記憶された記憶媒体である。
【００４５】
ここで、メモリ３２に記憶される地図情報は、基本的に投稿文検索サーバ３が有する地図情報と同一の構成を有しており、例えば、道路（リンク）に関するリンクデータ、ノード点に関するノードデータ、施設等の地点に関する地点情報２５、地図を表示するための地図表示データ、各交差点に関する交差点データ、経路を探索するための探索データ、地点を検索するための検索データ等からなる。尚、地図情報はメモリ３２に記憶せずに外部のサーバ（例えば投稿文検索サーバ３）から通信により取得する構成としても良い。また、メモリ３２は、ハードディスク、メモリーカード、ＣＤやＤＶＤ等の光ディスク等により構成しても良い。
【００４６】
また、ディスプレイ３８は、筐体の一面に配設されており、液晶ディスプレイや有機ＥＬディスプレイ等が用いられる。そして、通信端末７にインストールされている各種アプリケーションを実行する為のトップ画面や、実行されたアプリケーションに係る画面（インターネット画面、メール画面、ナビゲーション画面等）や、画像、動画等の各種情報が表示される。特に、ナビゲーションアプリを実行した場合に表示されるナビゲーション画面では、道路を含む地図画像、交通情報、出発地から目的地までの案内経路（走行予定経路）、案内経路に沿った案内情報等についても表示される。更に本実施形態では、投稿文管理センタ２から受信した投稿文に関する情報（投稿文の文章内容、投稿者のＩＤ等）についても表示する。
【００４７】
また、入力操作部３９は、ディスプレイ３８の前面に設けられたタッチパネルによって構成されている。そして、通信端末ＥＣＵ４１は、タッチパネルの押下等により出力される電気信号に基づき、対応する各種の動作を実行すべく制御を行う。特に本実施形態では、各種アプリケーションプログラムの起動及び操作を行う際や、投稿文を投稿する際や、既にコンピュータネットワーク上に投稿されている投稿文を閲覧する際等に用いられる。尚、入力操作部３９は、番号／文字入力キー、表示された内容を選択するためのカーソルを動かすカーソルキー、選択を確定する決定キー等の各種キー等により構成することもできる。
【００４８】
また、ＧＰＳ４０は、人工衛星によって発生させられた電波を受信することにより、通信端末７（即ちユーザ６）の現在位置及び現在時刻を検出可能とする。また、ＧＰＳ４０以外にも通信端末７の現在位置や方位を検出する為の他の装置（例えばジャイロセンサ等）を備える構成としても良い。
【００４９】
また、送受信回路部３３は通信ネットワーク網８を介して投稿文管理センタ２、交通情報センタ５と通信可能に構成されている。そして、交通情報センタ５を介して、渋滞情報、規制情報、交通事故情報等の交通情報を取得することが可能である。また、投稿文管理センタ２との間で投稿文の閲覧要求を送信したり、抽出された投稿文に関する情報を受信するのにも用いられる。
【００５０】
続いて、前記構成を有する投稿文検索システム１を構成する投稿文検索サーバ３において実行する交通情報補完処理プログラムについて図７に基づき説明する。図７は本実施形態に係る交通情報補完処理プログラムのフローチャートである。ここで、交通情報補完処理プログラムは、所定の時間間隔（例えば５分毎）で定期的に実行され、交通情報センタ５から取得した交通情報に欠落している地点に関する情報を補完するプログラムである。尚、以下の図７にフローチャートで示されるプログラムは、投稿文管理センタ２が備えるＲＡＭやＲＯＭ等に記憶されており、ＣＰＵ２１により実行される。
【００５１】
先ず、ステップ（以下、Ｓと略記する）１においてＣＰＵ２１は、交通情報センタ５から交通情報を取得する。ここで、交通情報センタ５からは、上述したように複数の情報形態（例えばＶＩＣＳ情報ではレベル１〜３）によって交通情報が提供されるが、特に前記Ｓ１では文字列からなる交通情報（図４）を取得する。
【００５２】
次に、Ｓ２においてＣＰＵ２１は、地図情報ＤＢ１２に記憶された地点情報２５（図５）を読み出し、前記Ｓ１で取得した交通情報と照合する。尚、前記Ｓ１において交通情報が複数取得された場合には、取得された交通情報毎に以降のＳ２〜Ｓ８の処理を実行する。
【００５３】
その後、Ｓ３においてＣＰＵ２１は、前記Ｓ１で取得した交通情報が、道路の区間に対する情報か否か、即ち、道路の区間の始点に対応する地点の名称の文字列（以下、始点文字列という）と、該区間の終点に対応する地点の名称の文字列（以下、終点文字列という）をそれぞれ含むか否か判定される。
【００５４】
そして、前記Ｓ１で取得した交通情報が、始点文字列と終点文字列を含むと判定された場合（Ｓ３：ＹＥＳ）には、Ｓ４へと移行する。それに対して、前記Ｓ１で取得した交通情報が、始点文字列と終点文字列を含まないと判定された場合（Ｓ３：ＮＯ）、即ち前記Ｓ１で取得した交通情報が道路の区間ではなく地点に対する情報やそれ以外の情報であると判定された場合には、Ｓ８へと移行する。
【００５５】
Ｓ４においてＣＰＵ２１は、前記Ｓ２の照合の結果、地点情報２５（図５）に記憶された各地点に関する情報の内、“始点文字列と名称が一致すると判定された地点の名称の文字列（検索用文字列も含む）”と、“該地点の位置情報（緯度経度）”を抽出する。
【００５６】
また、Ｓ５においてＣＰＵ２１は、前記Ｓ２の照合の結果、地点情報２５（図５）に記憶された各地点に関する情報の内、“終点文字列と名称が一致すると判定された地点の名称の文字列（検索用文字列も含む）”と、“該地点の位置情報（緯度経度）”を抽出する。
【００５７】
更に、Ｓ６においてＣＰＵ２１は、前記Ｓ４及びＳ５で抽出された各地点の位置情報と地点情報２５（図５）に基づいて、地点情報２５に記憶された各地点に関する情報の内、“交通情報によって対象となる道路の区間に含まれると判定された地点（但し、前記Ｓ４及びＳ５で既に情報が抽出された地点は除く）の名称の文字列（検索用文字列も含む）”と、“該地点の位置情報（緯度経度）”を抽出する。ここで、前述したように交通情報は、同一名称の道路（例えば東名高速道路、新東名高速道路、中央自動車道等）の区間又は道路上の地点に対する交通状況（例えば渋滞、車線規制、通行止め）を特定する文字列からなる。従って、前記Ｓ６では、“始点文字列と名称が一致すると判定された地点”及び“終点文字列と名称が一致すると判定された地点”と同じ名称の道路及び進行方向にあって、“始点文字列と名称が一致すると判定された地点”と“終点文字列と名称が一致すると判定された地点”の間にある他の地点を対象として、地点の名称の文字列及び位置情報が抽出される。例えば、“始点文字列と名称が一致すると判定された地点”が『東名川崎ＩＣ』であって、“終点文字列と名称が一致すると判定された地点”が『多摩川橋』である場合には、図５に示す地点情報の内、東名高速の上り方向にある『東京料金所』と『向ヶ丘ＢＳ（バス停）』の２つの地点の名称の文字列及び位置情報が抽出される。
【００５８】
その後、Ｓ７においてＣＰＵ２１は、前記Ｓ４〜Ｓ６で抽出された各地点の名称の文字列と位置情報を、前記Ｓ１で取得した交通情報に補完し、交通情報とともに補完交通情報ＤＢ１３に格納する。例えば、図８に示すように交通情報として「東名高速  上り  東名川崎ＩＣ→多摩川橋  事故  車線規制」という文字列を取得した場合には、以下の（Ａ）〜（Ｄ）の情報が地点情報２５から抽出され、交通情報に補完される。
（Ａ）始点文字列と名称が一致すると判定された地点である『東名川崎ＩＣ』の名称の文字列と位置情報。
（Ｂ）終点文字列と名称が一致すると判定された地点である『多摩川橋』の名称の文字列と位置情報。
（Ｃ）交通情報によって対象となる道路の区間に含まれると判定された地点である『東京料金所』の名称の文字列と位置情報。
（Ｄ）交通情報によって対象となる道路の区間に含まれると判定された地点である『向ヶ丘ＢＳ（バス停）』の名称の文字列と位置情報。
尚、前記Ｓ７で情報が補完された交通情報（以下、補完交通情報という）は、後述の投稿文検索処理プログラム（図１０）において、投稿文を検索する為の検索ワードを設定するのに用いられる。
【００５９】
一方、Ｓ８においてＣＰＵ２１は、前記Ｓ２の照合の結果、地点情報２５（図５）に記憶された各地点に関する情報の内、“交通情報に含まれる地点と名称が一致すると判定された地点の名称の文字列（検索用文字列も含む）”と、“該地点の位置情報（緯度経度）”を抽出する。例えば、“交通情報に含まれる地点と名称が一致すると判定された地点”が『東名川崎ＩＣ』である場合には、図５に示す地点情報の内、東名高速の上り方向にある『東名川崎ＩＣ』の地点の名称の文字列及び位置情報が抽出される。
【００６０】
その後、Ｓ７においてＣＰＵ２１は、前記Ｓ８で抽出された地点の名称の文字列と位置情報を、前記Ｓ１で取得した交通情報に補完し、交通情報とともに補完交通情報ＤＢ１３に格納する。例えば、図９に示すように交通情報として「中央道  上り  談合坂ＳＡ付近  故障車  規制無し」という文字列を取得した場合には、以下の（Ｅ）の情報が地点情報２５から抽出され、交通情報に補完される。
（Ｅ）交通情報に含まれる地点と名称が一致すると判定された地点である『談合坂ＳＡ』の名称の文字列と位置情報。
【００６１】
次に、投稿文検索システム１を構成する通信端末７及び投稿文検索サーバ３において実行する投稿文検索処理プログラムについて図１０に基づき説明する。図１０は本実施形態に係る投稿文検索処理プログラムのフローチャートである。ここで、投稿文検索処理プログラムは通信端末７においてナビゲーションアプリが起動された後に実行され、コンピュータネットワーク上に投稿された投稿文の内から、投稿文の閲覧を要求したユーザ６に関連する内容を投稿した投稿文を抽出するとともに、抽出された投稿文に関する情報を該ユーザ６に提供するプログラムである。尚、以下の図１０及び図１２にフローチャートで示されるプログラムは、投稿文管理センタ２や通信端末７が備えるＲＡＭやＲＯＭ等に記憶されており、ＣＰＵ２１やＣＰＵ３１により実行される。
【００６２】
先ず、通信端末７において実行される投稿文検索処理プログラムについて説明する。
Ｓ１１においてＣＰＵ３１は、ナビゲーションアプリにおいて目的地の設定操作が行われたか否かを判定する。
【００６３】
そして、目的地の設定操作が行われたと判定された場合（Ｓ１１：ＹＥＳ）には、Ｓ１２へと移行する。それに対して、目的地の設定操作が行われていないと判定された場合（Ｓ１１：ＮＯ）には、当該投稿文検索処理プログラムを終了する。
【００６４】
Ｓ１２においてＣＰＵ３１は、出発地から設定された目的地までの案内経路を取得する。そして、取得された案内経路はメモリ３２等に記憶される。尚、案内経路は通信端末７が探索する構成としても良いし、外部のサーバが探索し、探索された案内経路を通信端末７が該サーバから受信する構成としても良い。尚、案内経路の探索については公知のダイクストラ法が用いられる。また、出発地はユーザの現在位置としても良いし、ユーザにより選択された任意の地点（例えば自宅）としても良い。前記Ｓ１２で取得された案内経路はユーザ６の走行予定経路となる。また、案内経路は数値からなる位置情報として取得及び記憶される。具体的には、出発地から目的地までの座標（緯度経度）点の連なりによって案内経路が特定される。
【００６５】
Ｓ１３においてＣＰＵ３１は、投稿文の閲覧要求を投稿文検索サーバ３へと送信する。尚、投稿文の閲覧要求には、閲覧要求の送信元である通信端末７を特定するＩＤや前記Ｓ１２で取得した案内経路の位置情報が含まれる。尚、閲覧要求を受信した投稿文検索サーバ３は後述のように、受信した閲覧要求に基づいてコンピュータネットワーク上に投稿された投稿文の内から、“投稿文の閲覧を要求したユーザ６に関連する内容を投稿した投稿文”を抽出する（Ｓ２２〜Ｓ２４）。
【００６６】
次に、Ｓ１４においてＣＰＵ３１は、投稿文管理センタ２から送信された投稿文に関する情報を受信する。尚、前記Ｓ１４で受信する投稿文に関する情報は、前記Ｓ１３で送信した閲覧要求に基づいてコンピュータネットワーク上に投稿された投稿文の内から抽出された投稿文に関する情報であり、“投稿文の閲覧を要求したユーザ６に関連する内容を投稿した投稿文”に関する情報である。また、投稿文に関する情報としては、投稿文の文章とともに、該投稿文が投稿された投稿時刻、投稿位置、投稿者のＩＤ等が含まれる。
【００６７】
その後、Ｓ１５においてＣＰＵ３１は、前記Ｓ１２で取得された案内経路とともに、前記Ｓ１４で受信した投稿文に関する情報をディスプレイ３８に表示する。尚、表示する情報は、投稿文の文章、該投稿文が投稿された投稿時刻、投稿位置、投稿者のＩＤの全てを表示しても良いし、一部のみを表示する構成としても良い。但し、少なくとも投稿文の文章については表示するように構成する。また、前記Ｓ１４で投稿文を受信できなかった場合には、前記Ｓ１２で取得された案内経路のみを表示する。
【００６８】
ここで、図１１は前記Ｓ１５においてディスプレイ３８に表示される投稿文案内画面５１を示した図である。図１１に示すように投稿文案内画面５１は、案内経路を表示する左画面５２と、投稿文に関する情報を表示する右画面５３の２つの表示領域から構成される。
そして、左画面５２は、ユーザ周辺の地図画像５４と、ユーザの現在位置を示す現在位置マーク５５と、案内経路５６と、表示された投稿文の投稿位置を示す投稿位置マーク５７〜６０とから構成される。
また、右画面５３には、投稿文に関する情報を表示する情報表示スペース６１〜６４が設けられている。各情報表示スペース６１〜６４には、投稿文を投稿した投稿者のＩＤと。投稿文の文章内容をそれぞれ表示する。また、投稿文が多数ある場合には、スクロール操作によって投稿文を切り替えて表示するように構成することが望ましい。また、投稿文に関する情報を表示する際には、ユーザに近い位置で投稿された投稿文を優先して表示するようにしても良い。更に、後述の検索処理（Ｓ２４）において検索ワードに対する一致度合が高いと判定された投稿文を優先して表示するようにしても良い。尚、右画面５３を表示せずに、左画面５２のみを表示する構成とし、左画面５２の投稿位置マーク５７〜６０が選択された後に対応する投稿文の情報表示スペース６１〜６４を新たに画面上に配置するように構成しても良い。また、投稿位置マーク５７〜６０を表示しない構成としても良い。
【００６９】
そして、ユーザは図１１に示す投稿文案内画面５１を視認することによって、ユーザ６に関連する内容を投稿した投稿文の内容を閲覧することが可能となる。特に、本実施形態では交通情報において対象となる区間や地点の内、案内経路に含まれると判定された地点の検索用文字列（図５）を検索ワードに設定するので、案内経路に関連する各種情報（具体的には、案内経路上にある渋滞や事故等）をより速いタイミングで把握することが可能となる。
【００７０】
次に、投稿文検索サーバ３において実行される投稿文検索処理プログラムについて説明する。
先ず、Ｓ２１においてＣＰＵ２１は、投稿文の閲覧を要求するユーザ６から送信された閲覧要求を受信する。尚、閲覧要求には、閲覧要求の送信元である通信端末７を特定するＩＤや通信端末７において設定された案内経路（ユーザの走行予定経路）の位置情報が含まれる。また、受信した閲覧要求に含まれる案内経路の位置情報は、ＲＡＭ２２等の記憶媒体に一旦格納される。
【００７１】
次に、Ｓ２２においてＣＰＵ２１は、補完交通情報ＤＢ１３から補完交通情報を読み出す。ここで、補完交通情報は、前述した交通情報補完処理プログラム（図７）において地点の名称の文字列や位置情報が補完された交通情報である。
【００７２】
続いて、Ｓ２３においてＣＰＵ２１は、後述の検索ワード設定処理（図１２）を実行する。ここで、検索ワード設定処理は、前記Ｓ２１で受信した閲覧要求に含まれる案内経路の位置情報と前記Ｓ２２において取得した最新の補完交通情報とに基づいて、コンピュータネットワーク上に投稿された投稿文の内から、“投稿文の閲覧を要求したユーザ６に関連する内容を投稿した投稿文”を検索する為の検索ワードを設定する処理である。
【００７３】
その後、Ｓ２４においてＣＰＵ２１は、前記Ｓ２３で設定された検索ワードを用いて、コンピュータネットワーク上に投稿された投稿文の内から、“投稿文の閲覧を要求したユーザ６に関連する内容を投稿した投稿文”を検索する検索処理を実行する。具体的には、前記Ｓ２３で設定された検索ワードを文章中に含む投稿文に関する情報を、投稿文情報管理サーバ４の投稿文情報ＤＢ９に格納された投稿文情報（図３）の中から抽出する。
【００７４】
例えば、前記Ｓ２３において「○×（案内経路上のある地点の検索用文字列）」と「渋滞」の組み合わせ、及び「××（案内経路上のある地点の検索用文字列）」と「渋滞」の組み合わせが検索ワードとして設定された場合には、“渋滞  ＡＮＤ  ○×  ＯＲ  ××”が検索条件として設定され、文章中に「○×」と「渋滞」の文字列の両方を含む投稿文及び「××」と「渋滞」の文字列の両方を含む投稿文に関する情報がそれぞれ投稿文情報ＤＢ９から抽出される。
【００７５】
その後、Ｓ２５においてＣＰＵ２１は、前記Ｓ２４で抽出された投稿文に関する情報を、投稿文の閲覧を要求した通信端末７に対して送信する。その結果、投稿文の閲覧を要求した通信端末７において、ユーザ６に関連する内容を投稿した投稿文に関する情報が表示される（Ｓ１５）。
【００７６】
次に、前記Ｓ２３において実行される検索ワード設定処理のサブ処理について図１２に基づき説明する。図１２は検索ワード設定処理のサブ処理プログラムのフローチャートである。
【００７７】
先ず、Ｓ３１においてＣＰＵ２１は、前記Ｓ２１で受信した閲覧要求に含まれる案内経路（ユーザの走行予定経路）の位置情報をＲＡＭ２２から読み出す。
【００７８】
次に、Ｓ３２においてＣＰＵ２１は、前記Ｓ３１で取得した案内経路の位置情報と前記Ｓ２２で取得した補完交通情報において補完された地点の位置情報とを比較する。尚、前記Ｓ２２において補完交通情報が複数取得された場合には、取得された補完交通情報毎に以降のＳ３２〜Ｓ３７の処理を実行する。
【００７９】
その後、Ｓ３３においてＣＰＵ２１は、前記Ｓ２２で取得した補完交通情報において名称の文字列や位置情報が補完された地点（以下、補完地点という）の内、案内経路と位置情報が一致する地点が複数あるか判定する。ここで、補完地点は、前記したように交通情報が道路の区間に対する情報である場合には、“始点文字列と名称が一致すると判定された地点”、“終点文字列と名称が一致すると判定された地点”、“それ以外に交通情報によって対象となる道路の区間に含まれると判定された地点”である（図８参照）。一方、交通情報が道路上の地点に対する情報である場合には、“交通情報に含まれる地点と名称が一致すると判定された地点”である（図９参照）。また、前記したように案内経路は出発地から目的地までの座標（緯度経度）点の連なりによって特定される。従って、前記Ｓ３３でＣＰＵ２１は案内経路を構成するいずれかの座標点と同じ位置情報を有する補完地点が複数有るか否かを判定する。尚、座標点と補完地点の位置情報の差分が所定の誤差範囲内にある場合には位置情報は一致するとみなす。
【００８０】
そして、補完地点の内、案内経路と位置情報が一致する地点が複数あると判定された場合（Ｓ３３：ＹＥＳ）には、Ｓ３４へと移行する。それに対して、補完地点の内、案内経路と位置情報が一致する地点が複数存在しないと判定された場合（Ｓ３３：ＮＯ）には、Ｓ３６へと移行する。
【００８１】
Ｓ３４においてＣＰＵ２１は、補完地点の内、案内経路と位置情報が一致すると判定された各地点の名称の文字列を、それぞれ検索対象地点名称として補完交通情報ＤＢ１３から抽出する。尚、抽出される対象となる文字列は、具体的に検索用文字列である（図５参照）。
【００８２】
ここで、補完地点の内、案内経路と位置情報が一致する地点が複数あると判定される場合は、図１３に示すように案内経路７０内に、交通情報の対象となる区間の全体が含まれる場合や、図１４に示すように案内経路７０内に、交通情報の対象となる区間の一部が含まれる場合である。例えば、図１３に示す例では、交通情報は地点Ｃから地点Ｅまでの区間に車線規制が生じていることを示す情報であり、始点文字列は地点Ｃの名称の文字列、終点文字列は地点Ｅの名称の文字列である。従って、補完地点は“始点文字列と名称が一致すると判定された地点”である地点Ｃと、“終点文字列と名称が一致すると判定された地点”である地点Ｅと、“それ以外に交通情報によって対象となる道路の区間に含まれると判定された地点”である地点Ｄとなり、その全ての地点が案内経路と位置情報が一致すると判定される。従って、地点Ｃ、Ｄ、Ｅの各地点の名称が、それぞれ検索対象地点名称として抽出される。その結果、案内経路と交通情報の対象となる区間が重複する範囲内に位置する全ての地点の名称の文字列を検索対象地点名称として抽出することが可能となる。
【００８３】
また、図１４に示す例では、交通情報は地点Ｃから地点Ｈまでの区間が渋滞していることを示す情報であり、始点文字列は地点Ｃの名称の文字列、終点文字列は地点Ｈの名称の文字列である。従って、補完地点は“始点文字列と名称が一致すると判定された地点”である地点Ｃと、“終点文字列と名称が一致すると判定された地点”である地点Ｈと、“それ以外に交通情報によって対象となる道路の区間に含まれると判定された地点”である地点Ｄ、Ｅとなり、その内、特に地点Ｃ、Ｄ、Ｅが案内経路と位置情報が一致すると判定される。従って、地点Ｃ、Ｄ、Ｅの各地点の名称が、それぞれ検索対象地点名称として抽出される。その結果、案内経路と交通情報の対象となる区間が重複する範囲内に位置する全ての地点の名称の文字列を検索対象地点名称として抽出することが可能となる。
【００８４】
その後、Ｓ３５においてＣＰＵ２１は、前記Ｓ３４で抽出された地点名称の文字列と、交通情報の文字列に含まれる交通状況を示す文字列の組合せを検索ワードとして設定する。例えば、図１３に示すように取得した交通情報が「○○高速道路の上り、地点Ｃから地点Ｅまで車線規制あり」という内容であった場合には、交通状況を示すワードとして『車線規制』が含まれる。従って、『地点Ｃの名称』と『車線規制』の組合せ、『地点Ｄの名称』と『車線規制』の組合せ、『地点Ｅの名称』と『車線規制』の組合せを検索ワードとして設定する。
その後、設定された検索ワードに基づいて、コンピュータネットワーク上に投稿された投稿文の内から、検索ワードを含む投稿文を検索する検索処理を実行する（Ｓ２４）。
【００８５】
一方、Ｓ３６においてＣＰＵ２１は、補完地点の内、案内経路と位置情報が一致する地点があるか否か判定する。前記したように案内経路は出発地から目的地までの座標（緯度経度）点の連なりによって特定される。従って、前記Ｓ３６でＣＰＵ２１は、案内経路を構成するいずれかの座標点と同じ位置情報を有する補完地点が有るか否かを判定する。尚、座標点と補完地点の位置情報の差分が所定の誤差範囲内にある場合には位置情報は一致するとみなす。
【００８６】
そして、補完地点の内、案内経路と位置情報が一致する地点があると判定された場合（Ｓ３６：ＹＥＳ）には、Ｓ３７へと移行する。それに対して、補完地点の内、案内経路と位置情報が一致する地点が存在しないと判定された場合（Ｓ３６：ＮＯ）には、検索ワードを設定することなく当該投稿文検索処理プログラムを終了する。
【００８７】
Ｓ３７においてＣＰＵ２１は、補完地点の内、案内経路と位置情報が一致すると判定された地点の名称の文字列を、検索対象地点名称として補完交通情報ＤＢ１３から抽出する。尚、抽出される対象となる文字列は、具体的に検索用文字列である（図５参照）。
【００８８】
ここで、補完地点の内、案内経路と位置情報が一致する地点が一点のみ存在すると判定される場合は、交通情報が地点を対象とした情報であって、図１５に示すように案内経路７０内に、交通情報の対象となる地点が含まれる場合である。例えば、図１５に示す例では、交通情報は地点Ｄ付近において故障車が有ることを示す情報である。従って、補完地点は“交通情報の文字列と一致すると判定された地点”である地点Ｄとなり、その地点Ｄが案内経路と位置情報が一致すると判定される。従って、地点Ｄの地点の名称が検索対象地点名称として抽出される。その結果、案内経路と交通情報の対象となる地点が重複する範囲内に位置する全ての地点の名称の文字列を検索対象地点名称として抽出することが可能となる。
【００８９】
更に、Ｓ３５においてＣＰＵ２１は、抽出された地点名称の文字列と、交通情報の文字列に含まれる交通状況を示す文字列の組合せを検索ワードとして設定する。例えば、図１５に示すように取得した交通情報が「○○高速道路の上り、地点Ｄ付近に故障車有り」という内容であった場合には、交通状況を示すワードとして『故障車』が含まれる。従って、『地点Ｄの名称』と『故障車』の組合せを検索ワードとして設定する。
その後、設定された検索ワードに基づいて、コンピュータネットワーク上に投稿された投稿文の内から、検索ワードを含む投稿文を検索する検索処理を実行する（Ｓ２４）。
【００９０】
以上詳細に説明した通り、本実施形態に係る投稿文検索システム１、投稿文検索システム１による投稿文検索方法及び投稿文検索システム１において実行されるコンピュータプログラムでは、投稿文検索サーバ３が文字列からなる交通情報を交通情報センタ５から定期的に取得する（Ｓ１）とともに、取得した交通情報によって対象となる道路の区間に含まれる地点の名称の文字列及び位置情報を地点情報２５に基づいて特定して交通情報に補完する（Ｓ７）。一方で、通信端末７において案内経路が設定された場合に、投稿文の閲覧要求を投稿文検索サーバ３へと送信し（Ｓ１３）、閲覧要求を受信した投稿文検索サーバ３は、補完された交通情報を読み出し（Ｓ２２）、補完された交通情報に含まれる地点の名称の文字列から検索ワードを設定し（Ｓ３５）、コンピュータネットワーク上に投稿された投稿文の内から、設定された検索ワードを含む投稿文を検索し（Ｓ２４）、検索された投稿文を提供する（Ｓ２５）ので、コンピュータネットワーク上に投稿された投稿文の内から、ユーザが必要とする情報が投稿された投稿文のみを適切に抽出することが可能となる。その結果、配信される交通情報のみからでは特定することができない現時点でのより詳しい交通状況を、投稿文を介して把握することが可能となる。また、ユーザに検索条件を入力させる作業を行わせる必要がないので、操作性についても向上させることが可能となる。
また、交通情報が道路の区間に対する情報である場合に、区間の始点の位置情報と区間の終点の位置情報と地点情報から、交通情報によって対象となる道路の区間に含まれる地点の名称を取得するので、区間の始点と終点しか特定していない交通情報からでも該始点と終点の間にある他の地点の名称の文字列について特定することが可能となる。従って、始点と終点の間にある他の地点の名称の文字列についても検索ワードに設定することができ、ユーザが必要とする情報が投稿された投稿文を適切に抽出することが可能となる。
また、交通情報によって対象となる道路の区間に含まれる地点の名称の内、走行予定経路に含まれる地点の名称を、検索ワードに設定するので、ユーザの走行予定経路に関連する情報（例えば、走行予定経路上の渋滞、事故等）を、投稿文を介して、より速いタイミングで把握することが可能となる。
また、走行予定経路は数値からなる位置情報として取得され、通情報によって対象となる道路の区間に含まれる地点の名称の内、走行予定経路と位置情報が一致する地点の名称を、検索ワードに設定するので、位置情報を比較することによって走行予定経路と交通情報の対象となる区間が重複する範囲内に位置する全ての地点を正確に特定することが可能となる。
【００９１】
尚、本発明は前記実施形態に限定されるものではなく、本発明の要旨を逸脱しない範囲内で種々の改良、変形が可能であることは勿論である。
例えば、本実施形態では交通情報補完処理プログラム（図７）のＳ１〜Ｓ７の処理や投稿文検索処理プログラム（図１０）のＳ２１〜Ｓ２５の処理を投稿文検索サーバ３が実行する構成としているが、交通情報センタ５や投稿文情報管理サーバ４や通信端末７が一部または全部の処理を実行する構成としても良い。
【００９２】
また、本実施形態では、投稿の閲覧を要求した通信端末７で設定された案内経路を、ユーザの走行予定経路として通信端末７から投稿文検索サーバ３へと送信する構成としているが、案内経路の代わりに通信端末７において設定されている出発地と目的地を送信する構成としても良い。その場合には、投稿文検索サーバ３が受信した出発地と目的地から案内経路の探索を行う。
【００９３】
また、本実施形態では、交通情報によって対象となる道路の区間や地点に含まれる地点の名称の内、走行予定経路に含まれる地点の名称を、検索ワードに設定することとしているが、走行予定経路と関係なく交通情報によって対象となる道路の区間や地点に含まれる全ての地点の名称を、検索ワードに設定することとしても良い。その場合には、走行予定経路を取得する構成は不要となる。また、交通情報が複数ある場合には、ユーザに選択された交通情報によって対象となる道路の区間や地点に含まれる地点の名称を、検索ワードに設定することとしても良い。
【００９４】
また、本実施形態では、高速道路であれば進行方向についても考慮して地点の位置情報と案内経路の位置情報が一致するか否かを判定しているが、対面走行区間については進行方向を考慮せずに位置座標のみから一致判定を行っても良い。
【００９５】
また、本実施形態では、投稿文情報管理サーバ４において投稿文に関する情報として、投稿文の文章とともに、該投稿文が投稿された投稿時刻、該投稿文が投稿された際の投稿者の位置情報、投稿者のＩＤ等について記憶される構成としているが、投稿文の文章のみを記憶する構成としても良い。
【符号の説明】
【００９６】
１            投稿文検索システム
２            投稿文管理センタ
３            投稿文検索サーバ
４            投稿文情報管理サーバ
５            交通情報センタ
６            ユーザ
７            通信端末
２５          地点情報
【図１】
2014119870.tif 000003
【図２】
2014119870.tif 000004
【図３】
2014119870.tif 000005
【図４】
2014119870.tif 000006
【図５】
2014119870.tif 000007
【図６】
2014119870.tif 000008
【図７】
2014119870.tif 000009
【図８】
2014119870.tif 000010
【図９】
2014119870.tif 000011
【図１０】
2014119870.tif 000012
【図１１】
2014119870.tif 000013
【図１２】
2014119870.tif 000014
【図１３】
2014119870.tif 000015
【図１４】
2014119870.tif 000016
【図１５】
2014119870.tif 000017